(57)【要約】      （修正有）【課題】台座を構成する部材を隙間無く組み立て、台座に対して札板を確実に結合することができる位牌を提供する。【解決手段】下台４７の上面にはネジ穴５２を穿ち、中座４８には通し穴５３を貫通開口し、札受け４９には締付け穴５４を貫通開口し、札板の底面にはダボ穴を穿ち、締付け穴、通し穴を通じてネジ穴に木ネジをねじ込むことで下台、中座、札受けを連結し、円柱形をしたダボ６５の下部を締付け穴嵌め込み、そのダボの上部をダボ穴６７に嵌め込むことで台座４２と札板４３が一体となるように組み立てる。【選択図】図５
0003171640.tif 000002
【実用新案登録請求の範囲】
【請求項１】
全体を支える少なくとも下台４７、中座４８、札受け４９の三層から成る台座４２と、戒名などを表示するための平板状をした札板４３から構成された位牌４１であって、
下台４７の上面にはネジ穴５２を穿ち、中座４８には通し穴５３を貫通開口し、札受け４９には締付け穴５４を貫通開口し、札板４３の底面にはダボ穴６７を穿ち、締付け穴５４、通し穴５３を通じてネジ穴５２に木ネジ６１をねじ込むことで下台４７、中座４８、札受け４９を連結し、円柱形をしたダボ６５の下部を締付け穴５４嵌め込み、そのダボ６５の上部をダボ穴６７に嵌め込むことで一体となるように組み立てることを特徴とする位牌４１。
【請求項２】
前記締付け穴５４は上半分の内径が大きな径大穴５９で、下半分の内径が小さな径小穴５７となっていて、途中には段差による座板面５８が形成されており、締付け穴５４に木ネジ６１を挿入すると、木ネジ６１の頭部６２が座板面５８に密着し、空洞となった締付け穴５４の径大穴５９にダボ６５の下部を嵌め込むことを特徴とする請求項１に記載の位牌４１。
【請求項３】
全体を支える少なくとも下台４７、中座４８、札受け４９の三層から成る台座４２と、戒名などを表示するための平板状をした札板４３から構成された位牌４１であって、
下台４７の上面にはネジ穴５２を穿ち、中座４８には通し穴５３を貫通開口し、札受け４９には締付け穴５４を貫通開口し、札板４３の底面にはダボ穴６７を穿ち、締付け穴５４、通し穴５３を通じてネジ穴５２に木ネジ６１をねじ込むことで下台４７、中座４８、札受け４９を連結し、締付け穴５４には円柱形をした下台磁石７１の下半分を嵌め込み、ダボ穴６７の内部の奥には円柱形をした札板磁石７２を嵌め込み、札受け４９の上面より露出した下台磁石７１の上半分をダボ穴６７に挿入することで下台磁石７１と札板磁石７２を吸着させて組み立てることを特徴とする位牌４１。
【請求項４】
前記締付け穴５４は上半分の内径が大きな径大穴５９で、下半分の内径が小さな径小穴５７となっていて、途中には段差による座板面５８が形成されており、締付け穴５４に木ネジ６１を挿入すると、木ネジ６１の頭部６２が座板面５８に密着し、空洞となった締付け穴５４の径大穴５９に下台磁石７１の下半分を嵌め込むことを特徴とする請求項３に記載の位牌４１。
【請求項５】
全体を支える少なくとも下台４７、中座４８、札受け４９の三層から成る台座４２と、戒名などを表示するための平板状をした札板４３から構成された位牌４１であって、
下台４７の上面にはネジ穴５２を穿ち、中座４８には通し穴５３を貫通開口し、札受け４９には締付け穴５４を貫通開口し、札板４３の底面にはダボ穴６７を穿ち、締付け穴５４、通し穴５３を通じてネジ穴５２に鉄木ネジ７７をねじ込むことで下台４７、中座４８、札受け４９を連結し、その際に鉄木ネジ７７の上端頭部８１が札受け４９の上面より上の位置になるように突出させ、ダボ穴６７の内部の奥に円柱形をした札板磁石７２を嵌め込み、鉄木ネジ７７の突出した上部をダボ穴６７に挿入することで頭部８１に札板磁石７２を吸着させて組み立てることを特徴とする位牌４１。
【請求項６】
全体を支える少なくとも下台４７、中座４８、札受け４９の三層から成る台座４２と、戒名などを表示するための平板状をした札板４３から構成された位牌４１であって、
下台４７の上面にはネジ穴５２を穿ち、中座４８には通し穴５３を貫通開口し、札受け４９には締付け穴５４を貫通開口し、札板４３の底面にはダボ穴６７を穿ち、締付け穴５４、通し穴５３を通じてネジ穴５２に鉄木ネジ７７をねじ込むことで下台４７、中座４８、札受け４９を連結し、その際に鉄木ネジ７７には円柱形のスペーサー７６を挿通しておき、鉄木ネジ７７が下台４７にねじ込まれたときに鉄木ネジ７７の頭部８１と札受け４９の上面の間にスペーサー７６を位置させ、札受け４９の上面にスペーサー７６の長さ分の鉄木ネジ７７上部を突出させ、ダボ穴６７の内部の奥に円柱形をした札板磁石７２を嵌め込み、スペーサー７６と鉄木ネジ７７の上半分をダボ穴６７に挿入することで頭部８１に札板磁石７２を吸着させて組み立てることを特徴とする位牌４１。
【考案の詳細な説明】
【技術分野】
【０００１】
本考案は、仏壇、納骨堂などに安置されて宗教儀式に用いる位牌に関し、特に、台座に対して札板を確実に結合することができる位牌に関する。
【背景技術】
【０００２】
宗教、特に仏教では、故人の氏名や戒名を板に書き込んだ位牌を葬儀、法事などの宗教儀式に用いることが多い。この位牌は殆どの素材が木材であり、金属、セラミック、プラスチック、ガラスなどの素材を用いた事例も見かけるが、極く稀である。位牌に用いられる木材の種類としては、ヒバ、欅、黒檀、紫檀などがある。この木材を切削加工して、それぞれに彫刻などの装飾を施して複数の部品を作成し、各部品を組み立てることで一つの位牌を完成させていた。
【０００３】
位牌を組み立てる工程では、木材を細長い丸棒状に加工したダボを用い、各部品に穴を開けておき、ダボを各部品の穴にかしめるようにして挿入することで連結させていた。この場合、組み立て前の各部品には漆、カシューなどの塗料を塗布しておき、表面に光沢が発生するように塗装しておくことが通例であった。この塗装の工程で漆、カシューなどの塗料の一部がダボ用穴に垂れ込むこともあり、作業の障害となっていた。もともと、ダボ用穴の内径とダボの外径とは嵌め込むことでピッタリと密着するように設定してあり、ダボがダボ用穴の内側で圧縮されることによる摩擦力で各部品を結合していた。このため、ダボ用穴の内径が塗料の膜厚により狭くなると、設計上での内径よりも径小となってダボを押し込むことができなくなる。ダボ用穴の内周に塗料が付着してダボを押し込めることができなくなると、手作業によりダボ用穴の内部にある塗料を削り取る調整の作業が必要となっていた。塗装が完了した後の部品を再度調整するのは煩わしいものであり、作業効率の悪化となっていた。
【０００４】
また、ダボ用穴の底に塗料が溜まるとダボが設計上の最奥まで挿入されず、各部品が密着ぜずに浮いた状態となることもある。このような状態となると各部材の間に隙間が発生し、見栄えが悪くなる原因となっていた。このようにダボ用穴に塗料が垂れ込む障害が発生すると、調整などの後作業が必要となり、その後作業では塗装が完了した各部材の表面に表面に微小な擦り傷などを付着させる原因となっていた。漆、カシューなどで塗装された位牌の部品は、研磨により光沢のある表面に仕上げられているため、微細な傷によって商品価値を低下させてしまうことになっていた。
【先行技術文献】
【特許文献】
【０００５】
【特許文献１】特表２００４−０３３５９５号公報
【特許文献２】特表２００４−０８９３８５号公報
【特許文献３】特表２００４−３２１２７８号公報
【特許文献４】特開２００５−１４３６６６号公報
【特許文献５】特開２００６−２１２１５９号公報
【特許文献５】特開２００７−０３７８６６号公報
【特許文献６】特開２０１０−０３６００７号公報
【考案の概要】
【考案が解決しようとする課題】
【０００６】
図１は従来から知られている木製の位牌１１であり、この位牌１１を例にして従来品の構造と組み立ての工程を説明する。
【０００７】
位牌１１は大きく分けて下部の台座１２と上部の札板１３より構成されている。台座１２と札板１３が組み合わされることで一体の位牌１１が形成されていて、これら台座１２、札板１３はヒバ、欅、黒檀、紫檀などの硬い材質の木材が使用されている。
【０００８】
図２は位牌１１を構成する部品を分解して、それぞれの部品の形状と役割を示すものである。前述した台座１２は上下に、下台１７、中座１８、札受け１９の部品から構成されている。下台１７は比較的大きな形状であって、全体を支える働きをするものであり、前側、左右両側は斜めに切断されて台形となっている。下台１７の上面の左右には間隔をおいて２つの止め穴２１が開口してあり、両止め穴２１は貫通はしておらず、下台１７の途中で止まっていて盲穴となっている。中座１８は下台１７の上面の面積よりも少し狭い大きさの薄板状をしており、前側と左右両側の側面はその中間部が突出するように斜めに削られている。そして、中座１８の上面から下面に向けては、間隔をおいて２つの通し穴２２が貫通するように開口してある。中座１８の上方に位置する札受け１９は、その面積を下台１７の上面の面積とほぼ同じ程度に設定してあり、中座１８よりも広い平面をした薄板状をしており、前側と左右両側の側面はその中間部が突出するように斜めに削られている。この札受け１９の上面から下面に向けては、間隔をおいて２つの通し穴２３が貫通するように開口してある。止め穴２１、通し穴２２、通し穴２３のそれぞれの穴の位置は同じ間隔であって、内径もほぼ同じになるように設定してある。
【０００９】
なお、仏具業界では位牌１１を構成する部品の呼称が違うこともあり、下台１７を「かまち座」、中座１８を「茄子座」、札受け１９を「二の板」と呼ぶ地方もある。また、本図で示した従来の台座１２の一例では３つの部品で構成してあるが、製造企業や地方の慣習によっては四層、五層、六層のように多数の部品で組み立てられていることもある。その場合、各部品は上層から受花（蓮座）、二の板、上花、茄子座、返り花、受け座、カマチ座と呼ばれることもある。
【００１０】
ダボ２５は位牌１１を構成する部品を組み立てる際に重要な役割をするもので、少し柔らかい材質の木材を素材とし、細長い丸棒状に加工したものである。このダボ２５の外径は、前述した止め穴２１、通し穴２２、通し穴２３の内径よりも少し大きく設定してあり、ダボ２５を止め穴２１、通し穴２２、通し穴２３に押し込むと、ダボ２５の外周が締め付けられることにより発生した摩擦によって固定されるようになっている。
【００１１】
次に、札板１３は位牌１１の顔とも言える部分で、ヒバ、欅、黒檀、紫檀などの硬い材質の木材を使用し、全体は平板状であって上部をやや山形に加工し、周縁は丸く成形してある。表裏面は漆、カシューなどを塗布して研磨することにより、光沢のある平らな面を形成しある。札板１３の表面には、故人の戒名、没年などを彫刻するか文字書きすることができる。札板１３の底面には、上方に向かって２つのダボ穴２８が穿ってあり、このダボ穴２８は途中で止められて盲穴となっている。２つのダボ穴２８の間隔は前述の止め穴２１、通し穴２２、通し穴２３の間隔と同じであり、ダボ穴２８の内径はダボ２５の外径よりも少し狭くなるように設定してある。
【００１２】
このように、従来の位牌１１は札板１３、下台１７、中座１８、札受け１９、ダボ２５の部品より構成されているが、これらを組み立てるには、下台１７の上面に中座１８と札受け１９を重ねて乗せ、止め穴２１、通し穴２２、通し穴２３の軸芯が一致するように配置する。その状態で、ダボ２５を通し穴２３、通し穴２２、止め穴２１の順に挿入し、ダボ２５の下端が止め穴２１の底に到着するまで押し込む。ダボ２５の外径は通し穴２３、通し穴２２、止め穴２１の内径よりも少し径大であり、ダボ２５の材質は下台１７、中座１８、札受け１９の材質よりも柔らかいため、ダボ２５は止め穴２１、通し穴２２、通し穴２３の内部で押し潰され、両者の間に発生した摩擦力によって下台１７、中座１８、札受け１９はダボ２５により連結される。
【００１３】
下台１７、中座１８、札受け１９が組み立てられて台座１２を形成するようになった状態が図３で示される。下台１７、中座１８、札受け１９がダボ２５で結合されると、ダボ２５の上部は札受け１９の上面より突び出したような状態となる。ダボ２５の全長は止め穴２１、通し穴２２、通し穴２３及びダボ穴２８の長さの合計とほぼ同じに設定してあるため、ダボ２５が札受け１９の上面より突出した時の長さはダボ穴２８の深さとほぼ同一となる。
【００１４】
このようにダボ２５が突出するように組み立てられた台座１２に対して札板１３を組み上げるには、札板１３の底面に開口したダボ穴２８にそれぞれダボ２５の上端を挿入する。すると、ダボ２５の外径はダボ穴２８の内径よりも少し大きいため、ダボ穴２８内に押し込められたダボ２５は外周を押し潰され、両者の間に発生した摩擦力によりダボ２５と札板１３は結合する。ダボ２５の材質や外径を注意深く加工することで、釘や接着剤などを使わなくとも札板１３、下台１７、中座１８、札受け１９は巧妙に組み立てられ、簡単には分離することはない。
【００１５】
図４は、台座１２と札板１３が組み上げられる前の状態で、ダボ穴２８にダボ２５を押し込む直前の位置関係を示した断面図である。この断面図では、ダボ２５の下部は止め穴２１、通し穴２２、通し穴２３にかしめるように嵌め込められている。このダボ２５の周囲が押し潰されることで摩擦力が発生し、三層に重ねられた下台１７、中座１８、札受け１９は多少の力では分解しないように固定される。札受け１９の上面から突出したダボ２５の高さはダボ穴２８の深さとほぼ同じとなるように設定してあることから、ダボ２５をダボ穴２８に挿入するとダボ２５の上端はダボ穴２８の穴奥近くまで嵌まり込むことになる。ダボ２５の外径はダボ穴２８の内径よりも少し径大であるため、両者は締め付けられて固定される。こうして、台座１２には札板１３が結合され、一体の位牌１１が完成される。なお、後年になって位牌１１を修理したり、札板１３の表面に新たに戒名や没年などを新たに書き加える場合には、札板１３を台座１２から少し強い力で引っ張ると、ダボ２５はダボ穴２８との摩擦力に打ち勝って抜け落ちることになり、台座１２と札板１３を分解することができる。
【００１６】
この位牌１１の構造や組み立て方法については職人の技による微妙な細工であり、これは長年の体験によって生み出されてきたものである。すなわち、位牌１１は故人を弔うために数十年以上にわたって保管されるため、釘や接着剤などを使用すると長期間には材質が変化し、錆や剥離などの不都合が生じる虞が多いからである。また、図３のように、台座１２を組み立ててから札板１３を固定する工程があるのは、札板１３の表面に戒名などを彫刻したり文字書きする必要があり、台座１２から札板１３を取り外せるようにしておかなければ彫刻や文字書きができないからである。通常位牌１１は台座１２と札板１３を組み立てた状態で販売され、販売後において札板１３を台座１２から取り外して戒名や没年などを彫刻したり書き込んでいる。戒名、没年などを表書きした後に、台座１２と札板１３を組み合わせて特定の故人の位牌１１として仏壇や納骨堂などで安置されるためである。
【００１７】
このように、位牌１１はその商習慣や長期安置の目的のため、独特の構造を有しているものである。下台１７、中座１８、札受け１９が組み立てられて台座１２となる前には、各下台１７、中座１８、札受け１９の表面には漆、カシューなどの長期保管に向く塗料が塗られている。塗料が終わってからダボ２５を止め穴２１、通し穴２２、通し穴２３に押し込むのは、台座１２を組み上げて時の外観を良好にするためである。下台１７、中座１８、札受け１９を結合して組み立ててから塗料を塗ると、各部品の隙間にも塗料が充填され、外観には部品の隙間が無くなり、見栄えが悪くなる。しかし、台座１２を組み立てる前に下台１７、中座１８、札受け１９に塗料を塗ると、塗料が止め穴２１、通し穴２２、通し穴２３に染み込んだり垂れ込んだりする現象が発生することがあった。元々、止め穴２１、通し穴２２、通し穴２３の内径は摩擦力で結合させるために、ダボ２５の外径より少し小さくなるように微妙な寸法で製作されているので、塗料が止め穴２１、通し穴２２、通し穴２３に入り込むと内径が狭くなってしまう。職人技により止め穴２１、通し穴２２、通し穴２３の内径を微妙に穿ってあるため、ごく微量の塗料が入り込んでもダボ２５を押し込むことができなくなる障害となっていた。
【００１８】
万一、止め穴２１、通し穴２２、通し穴２３の内部に塗料が入り込むと、止め穴２１、通し穴２２、通し穴２３の内周を工具で削り取って内径を修正する手作業が必要となっていた。塗装が完了した後に止め穴２１、通し穴２２、通し穴２３を再度調整するのは煩わしいものであり、作業効率が悪くなっていた。このような内径の調整の工程が増えると、位牌１１の製作に時間がかかり、製造費が高くなる原因であった。
【００１９】
さらには、止め穴２１の底に塗料が溜まって固まると、ダボ２５の下端止め穴２１の底にまで到達しないことになった。すると、止め穴２１、通し穴２２、通し穴２３、ダボ穴２８を合計した深さはダボ２５の長さと同一になるように設定してあることから、下台１７、中座１８、札受け１９、札板１３が密着ぜずに浮いてしまうことになった。このような状態になると、下台１７、中座１８、札受け１９、札板１３の間に隙間が発生し、見栄えが悪くなっていた。この場合でも、止め穴２１の内部を切削すして調整する後作業が必要となりが、調整の作業中には下台１７、中座１８、札受け１９の表面に擦り傷を発生させる原因となっていた。漆、カシューなどで塗装されて研磨された下台１７、中座１８、札受け１９に、微細であっても擦り傷を付けると商品価値を低下させる致命傷になっていた。
【課題を解決するための手段】
【００２０】
本考案は、前記の欠点を解消するため、全体を支える少なくとも下台、中座、札受けの三層から成る台座と、戒名などを表示するための平板状をした札板から構成された位牌であって、下台の上面にはネジ穴を穿ち、中座には通し穴を貫通開口し、札受けには締付け穴を貫通開口し、札板の底面にはダボ穴を穿ち、締付け穴、通し穴を通じてネジ穴に木ネジをねじ込むことで下台、中座、札受けを連結し、円柱形をしたダボの下部を締付け穴嵌め込み、そのダボの上部をダボ穴に嵌め込むことで一体となるように組み立てることを特徴とする位牌を提供するものである。
【００２１】
また、本考案は、全体を支える少なくとも下台、中座、札受けの三層から成る台座と、戒名などを表示するための平板状をした札板から構成された位牌であって、下台の上面にはネジ穴を穿ち、中座には通し穴を貫通開口し、札受けには締付け穴を貫通開口し、札板の底面にはダボ穴を穿ち、締付け穴、通し穴を通じてネジ穴に木ネジをねじ込むことで下台、中座、札受けを連結し、締付け穴には円柱形をした下台磁石の下半分を嵌め込み、ダボ穴の内部の奥には円柱形をした札板磁石を嵌め込み、札受けの上面より露出した下台磁石の上半分をダボ穴に挿入することで下台磁石と札板磁石を吸着させて組み立てることを特徴とする位牌を提供するものである。
【００２２】
さらに、本考案は、全体を支える少なくとも下台、中座、札受けの三層から成る台座と、戒名などを表示するための平板状をした札板から構成された位牌であって、下台の上面にはネジ穴を穿ち、中座には通し穴を貫通開口し、札受けには締付け穴を貫通開口し、札板の底面にはダボ穴を穿ち、締付け穴、通し穴を通じてネジ穴に鉄木ネジをねじ込むことで下台、中座、札受けを連結し、その際に鉄木ネジの上端頭部が札受けの上面より上の位置になるように突出させ、ダボ穴の内部の奥に円柱形をした札板磁石を嵌め込み、鉄木ネジの突出した上部をダボ穴に挿入することで頭部に札板磁石を吸着させて組み立てることを特徴とする位牌を提供するものである。
【００２３】
さらに、本考案は、全体を支える少なくとも下台、中座、札受けの三層から成る台座と、戒名などを表示するための平板状をした札板から構成された位牌であって、下台の上面にはネジ穴を穿ち、中座には通し穴を貫通開口し、札受けには締付け穴を貫通開口し、札板の底面にはダボ穴を穿ち、締付け穴、通し穴を通じてネジ穴に鉄木ネジをねじ込むことで下台、中座、札受けを連結し、その際に鉄木ネジには円柱形のスペーサーを挿通しておき、鉄木ネジが下台にねじ込まれたときに鉄木ネジの頭部８１と札受けの上面の間にスペーサーを位置させ、札受けの上面にスペーサーの長さ分の鉄木ネジ上部を突出させ、ダボ穴の内部の奥に円柱形をした札板磁石を嵌め込み、スペーサーと鉄木ネジの上半分をダボ穴に挿入することで頭部に札板磁石を吸着させて組み立てることを特徴とする位牌を提供するものである。
【考案の効果】
【００２４】
本考案の位牌では、下台、中座、札受けは木ネジにより連結して台座に組み立てることができ、従来のようにダボを使って組み立てる必要がなくなる。すると、下台、中座、札受けの表面に塗料を塗る際に、止め穴、通し穴にも塗料が浸入して内径が細くなる現象によりダボを嵌め込めなくなる障害が発生しなくなる効果がある。また、塗料が下台の止め穴の底に溜まることにより、ダボが奥まで入らずに下台、中座、札受けが浮き上がってそれぞれの間に隙間が発生して見栄えが悪くなることもなくなる。
【００２５】
従来では、止め穴、通し穴に塗料が入ったなら、内周を工具で削り取って内径を修正する手作業が必要となっていたが、後処理が不要となるので、作業効率を良好にできる。このため、位牌の製作時間を減少でき、製造費を低くすることができる。また、下台、中座、札受けの塗装が完了してあらの後処理が不要となるので、完成された下台、中座、札受けの表面に擦り傷などを付けるような事故も無くなる効果がある。
【図面の簡単な説明】
【００２６】
【図１】従来から知られている位牌の一例を示す外観斜視図である。
【図２】従来から知られている位牌を構成する各部品を分解し、その構造を説明した分解斜視図である。
【図３】従来から知られている位牌の台座と札板を組み立てる工程を示す説明図である。
【図４】従来から知られている位牌の台座と札板を分離した状態を示す縦断面図である。
【図５】本考案の第一の実施形態における、位牌を構成する各部品を分解し、その構造を説明した分解斜視図である。
【図６】本考案の第一の実施形態における、札受けの板材に形成した締付け穴の構造を示す拡大断面図である。
【図７】本考案の第一の実施形態における、札受けの板材に形成した締付け穴に木ネジをねじ込んで部品を結合した状態を示す拡大断面図である。
【図８】本考案の第一の実施形態における、位牌の台座と札板を分離した状態を示す縦断面図である。
【図９】本考案の第一の実施形態における、位牌の台座と札板を結合した状態を示す縦断面図である。
【図１０】本考案の第二の実施形態における、位牌を構成する各部品を分解し、その構造を説明した分解斜視図である。
【図１１】本考案の第二の実施形態における、位牌の台座と札板を分離した状態を示す縦断面図である。
【図１２】本考案の第二の実施形態における、位牌の台座と札板を結合した状態を示す縦断面図である。
【図１３】本考案の第三の実施形態における、位牌を構成する各部品を分解し、その構造を説明した分解斜視図である。
【図１４】本考案の第三の実施形態における、鉄木ネジとスペーサーの形状を示す斜視図である。
【図１５】本考案の第三の実施形態における、位牌の台座と札板を分離した状態を示す縦断面図である。
【図１６】本考案の第三の実施形態における、位牌の台座と札板を結合した状態を示す縦断面図である。
【考案を実施するための形態】
【００２７】
以下、本考案の第一の実施形態について、図５乃至図９を参照しながら説明する。
【００２８】
図５は本考案の第一の実施形態における位牌４１を構成する部品を分解し、それぞれの部品の形状と役割を立体的に示した分解斜視図である。位牌４１は大きく分けて下部の台座４２と上部の札板４３より構成されている。台座４２と札板４３が組み合わされることで一体の位牌４１が形成され、これら台座４２、札板４３はヒバ、欅、黒檀、紫檀などの硬い材質の木材が使用されている。
【００２９】
前述した台座４２は上下に、下台４７、中座４８、札受け４９の部品から構成されている。下台４７は比較的大きな形状であって、全体を支える働きをするものであり、前側、左右両側は斜めに切断されて台形となっている。下台４７の上面の左右には間隔をおいて２つのネジ穴５２が開口してあり、両ネジ穴５２は貫通はしておらず、下台４７の途中までしか続いておらず盲穴となっている。中座４８は下台４７の上面の面積よりも少し狭い大きさの薄板状をしており、前側と左右両側の側面はその中間部が突出するように斜めに削られている。そして、中座４８の上面から下面に向けては、間隔をおいて２つの通し穴５３が貫通するように開口してある。中座４８の上方に位置する札受け４９は、その面積を下台４７の上面の面積とほぼ同じ程度に設定してあり、中座４８よりも広い平面をした薄板状をしており、前側と左右両側の側面はその中間部が突出するように斜めに削られている。この札受け４９の上面から下面に向けては、間隔をおいて２つの締付け穴５４が貫通するように開口してあり、ネジ穴５２、通し穴５３、締付け穴５４のそれぞれの穴の位置は同じ間隔となるように設定してある。
【００３０】
図６は前述した締付け穴５４の内部の切削形状を示す部分断面図であり、締付け穴５４は単純な一つの内径ではなく、内径の異なった二種類の穴が同軸線上に配置されている。すなわち、札受け４９の上面から下方には内径の大きい径大穴５９が穿ってあり、札受け４９の下面から上方には内径の狭い径小穴５７が穿ってあり、径小穴５７、径大穴５９の深さはそれぞれ札受け４９の厚さの半分程度になるように設定してある。この内径の異なる二種類の径小穴５７、径大穴５９が上下からそれぞれ穿ってあるため、両者の間にはドーナツ状をした座板面５８が形成されることになる。
【００３１】
この締付け穴５４に挿入される木ネジ６１はドライバーでねじ込むことのできる公知の部品であり、上部にはドライバーと噛み合う溝を形成した径大な頭部６２があり、下部には木質に食い込むためのスクリュー部６３が形成してある。この頭部６２の外径は前述した径大穴５９の内径よりも少し小さくしてあり、胴部分は径小穴５７、通し穴５３の内径よりも少し小さく設定してある。
【００３２】
図５におけるダボ６５は、位牌４１を構成する部品を結合して組み立てる際に重要な役割をするもので、少し柔らかい材質の木材を素材とし、細長い丸棒状に加工したものである。このダボ６５の外径は前述した締付け穴５４の内径よりも少し大きく設定してあり、ダボ６５を締付け穴５４に押し込むとダボ６５の外周が締め付けられることにより発生する摩擦力によって固定されるようになっている。
【００３３】
次に、札板４３は位牌４１の顔とも言える部分で、ヒバ、欅、黒檀、紫檀などの硬い材質の木材を使用し、全体は平板状であって上部をやや山形に加工し、周縁は丸く成形してある。表裏面は漆、カシューなどを塗布して研磨することにより、光沢のある平らな面を形成してある。札板４３の表面には故人の戒名、没年などを彫刻するか文字書きすることができる。札板４３の底面には、上方に向かって２つのダボ穴６７が穿ってあり、このダボ穴６７は途中で止められて盲穴となっている。２つのダボ穴６７の間隔は前述の締付け穴５４の間隔と同じであり、ダボ穴６７の内径はダボ６５の外径よりも少し狭くなるように設定してある。  この位牌４１は札板４３、下台４７、中座４８、札受け４９、ダボ６５の部品より構成されているが、これらを組み立てるには、下台４７の上面に中座４８と札受け４９を重ねて乗せ、ネジ穴５２、通し穴５３、締付け穴５４の軸芯が一致するように配置する。その状態で、木ネジ６１を締付け穴５４、通し穴５３、ネジ穴５２の順に挿入し、木ネジ６１のスクリュー部６３がネジ穴５２の内部に食い込むようにねじ込む。木ネジ６１を締付け穴５４内に締め込むと図７で示すように、木ネジ６１の頭部６２の下面が座板面５８に密着する。すると、下台４７、中座４８、札受け４９の部品は木ネジ６１の頭部６２とスクリュー部６３により連結され、三者が合体して外れることがなくなる。
【００３４】
図７のように、木ネジ６１が締付け穴５４で固定された状態になると、締付け穴５４における径大穴５９の空間は空いていて、この径大穴５９にダボ６５の下端を押し込む。ダボ６５の外径は締付け穴５４の内径よりも少し径大であり、その材質は札受け４９の材質よりも柔らかいため、ダボ６５は締付け穴５４の内部で押し潰され、両者の間に発生した摩擦力によってダボ６５は締付け穴５４に連結される。
【００３５】
下台４７、中座４８、札受け４９が組み立てられて台座４２となり、ダボ６５の下半分が締付け穴５４に挿入され、ダボ６５の下端が頭部６２の上面に接した状態が図８で示されている。このようにダボ６５が締付け穴５４で保持された状態では、ダボ６５の上半分は札受け４９の上面より突び出していることになる。ダボ６５の全長は径大穴５９とダボ穴６７の長さの合計とほぼ同じに設定してあるため、ダボ６５が札受け４９の上面より突出した長さはダボ穴６７の深さとほぼ同一となる。
【００３６】
このようにダボ６５が突出して組み立てられた台座４２に対して札板４３を組み上げるには、札板４３の底面に開口したダボ穴６７にそれぞれダボ６５の上端を挿入する。すると、ダボ６５の外径はダボ穴６７の内径よりも少し大きいため、ダボ穴６７内に押し込められたダボ６５は外周を押し潰され、両者により発生した摩擦力によりダボ６５と札板４３は連結される。ダボ６５の材質や外径を注意深く加工することで、釘や接着剤などを使わなくとも台座４２と札板４３は巧妙に組み立てられ、簡単には分離することはない。
【００３７】
図８は台座４２と札板４３が組み上げられる前の状態で、ダボ穴６７にダボ６５を押し込む直前の位置関係を示した断面図である。図９はダボ穴６７にダボ６５を押し込めて組み立てた状態の断面図である。
【００３８】
この図８では、ダボ６５の下部は締付け穴５４に嵌め込められていて、両者はかしめるようにして固定されている。このダボ６５の周囲が押し潰されることで両者の間には摩擦力が発生し、札受け４９とダボ６５は多少の力では分解しないように保持されている。札受け４９の上面から突出したダボ６５の高さはダボ穴６７の深さとほぼ同じに設定してあることから、ダボ６５の上部をダボ穴６７に挿入するとダボ６５の上端はダボ穴６７の奥近くまで嵌まり込む。ダボ６５の外径はダボ穴６７の内径よりも少し径大であるため、両者は締め付けられて連結される。こうして、台座４２には札板４３が結合され、一体の位牌４１が完成される。
【００３９】
なお、後年になって位牌４１を修理したり、札板４３の表面に戒名を新たに書き加える場合には、札板４３を台座４２から少し強い力で引っ張ると、ダボ６５はダボ穴６７との摩擦力に打ち勝って抜け落ちることになり、台座４２と札板４３を分解することができる。
【００４０】
図１０乃至図１２は、本考案の第二の実施形態を示すものである。この第二の実施形態における各部品の内で第一の実施形態と同一の部品は同一の符号を付して、その説明を省略する。
【００４１】
前述したように、位牌４１を構成する部品は大きく分けて下部の台座４２と上部の札板４３より構成され、台座４２はさらに上下に下台４７、中座４８、札受け４９の部品から構成されている。下台４７、中座４８、札受け４９により台座４２を組み立てるには、木ネジ６１を締付け穴５４、通し穴５３に挿入し、スクリュー部６３をネジ穴５２にねじ込むことで固定できる。すると、第一の実施形態で説明したように締付け穴５４には内径の大きい径大穴５９の空間が形成されるので、この径大穴５９に円筒形をした下台磁石７１の下半分を挿入する。下台磁石７１の外径は径大穴５９の内径より少し大きくしてあるため、下台磁石７１は径大穴５９を押し広げるようにして噛み合い、下台磁石７１は札受け４９にめ、固く固定される。この下台磁石７１には、例えば磁力が強力なネオジウム系の希土類磁石を素材とすることが好ましい。径大穴５９に挿入した下台磁石７１はその長さを径大穴５９の深さの二倍程度としてあるため、下台磁石７１の上半分は図１１で示すように札受け４９の上面より突出されている。
【００４２】
次に、札板４３の底面には二つのダボ穴６７が穿ってあり、このダボ穴６７の内部には円筒形をした札板磁石７２を挿入してある。札板磁石７２の外径はダボ穴６７の内径よりも少し大きくなるように設定してあるため、札板磁石７２をダボ穴６７に押し込むと、札板磁石７２はダボ穴６７を押し広げるようにして噛み合う。札板磁石７２を強く押し込めることで、札板磁石７２はダボ穴６７の奥の位置で止まって固定される。図１１で示すように、札板磁石７２はダボ穴６７の内部で固定され、ダボ穴６７の下半分は空洞となっている。この札板磁石７２には、例えば磁力が強力なネオジウム系の希土類磁石を素材とすることが好ましい。
【００４３】
図１１は、台座４２と札板４３が組み立てられていない状態の第二の実施形態の断面を示すものである。台座４２と札板４３を組み立てるには、図１１の状態のままで札板４３を台座４２の方向に下げて、下台磁石７１をダボ穴６７の空洞に嵌め入れる。下台磁石７１はダボ穴６７にそのまま挿入され、札板４３の底面が札受け４９の上面と密着するまで下降できる。この状態が図１２で示され、この時には下台磁石７１の上端と札板磁石７２の下端が密着し、吸磁力により両者は強力に連結する。このように、下台磁石７１と札板磁石７２が磁気で吸着すると、台座４２と札板４３の結合は強固であり、簡単には分離することはない。
【００４４】
なお、後年になって位牌４１を補修したり、札板４３の表面に戒名や没年などを追加して書き込むような場合には、台座４２より札板４３を少し強い力で引き離すと、下台磁石７１と札板磁石７２は引き離され、台座４２と札板４３は分解できる。
【００４５】
図１３乃至図１６は、本考案の第三の実施形態を示すものである。この第三の実施形態における各部品の内で第一の実施形態と同一の部品は同一の符号を付して、その説明を省略する。
【００４６】
前述したように、位牌４１を構成する部品は大きく分けて下部の台座４２と上部の札板４３より構成され、台座４２はさらに上下に下台４７、中座４８、札受け４９の部品から構成されている。下台４７には盲穴の２つのネジ穴５２が開口され、中座４８には２つの通し穴５３が貫通開口してあり、札受け４９には２つの通し穴７５が貫通開口してある。ネジ穴５２、通し穴５３、通し穴７５のそれぞれの穴の位置は同じ間隔となるように設定してある。また、通し穴７５の内径は木ネジ６１の外径よりも少し径大であるが、締付け穴５４のような段差は無く、上下に同一寸法の貫通穴となっている。
【００４７】
次に、スペーサー７６は中央が開口した円筒形をしており、真鍮、アルミなどの非鉄金属の素材で形成されている。また、鉄木ネジ７７は下台４７、中座４８、札受け４９、スペーサー７６を一体に組み立てるためのもので、磁石に吸引される素材の鉄で形成されている。
【００４８】
これらのスペーサー７６、鉄木ネジ７７のより具体的な形状を図１４により説明する。スペーサー７６の中心軸には貫通穴８６が上下に開口されていて、この貫通穴８６の内径は鉄木ネジ７７の軸部分の外径よりも少し大きくなるように設定されている。このスペーサー７６の上面は、その軸芯に向けて傾斜するようにすり鉢状をしたテーパー面８７が形成してある。鉄木ネジ７７は公知のものであり、磁石に吸引される鉄を素材としている。この鉄木ネジ７７の軸部分は棒状であるが上部は径大となっていて、上面にはドライバーと噛み合う溝を形成した頭部８１となっていて、頭部８１の下面は円錐形の傾斜面８２が形成してある。鉄木ネジ７７の軸部分の下部には、その下端が尖って周囲がスパイラル状となったスクリュー部８３が形成してある。
【００４９】
下台４７、中座４８、札受け４９により台座４２を組み立てるには、下台４７の上面に中座４８、札受け４９を載せ、ネジ穴５２、通し穴５３、通し穴７５の軸線が一致するように配置する。次いで、鉄木ネジ７７の下端からスペーサー７６の貫通穴８６を挿通し、鉄木ネジ７７を通し穴７５、通し穴５３に挿入する。そうすると鉄木ネジ７７のスクリュー部８３はネジ穴５２に到達し、さらに頭部８１の溝にドライバーを噛み合わせて回転させることによりスクリュー部８３をネジ穴５２にねじ込む。
【００５０】
図１５は、鉄木ネジ７７のスクリュー部８３がネジ穴５２の木質に食い込み、下台４７、中座４８、札受け４９が一体となるように組み立てられた状態を示す断面図である。この状態では、鉄木ネジ７７の頭部８１がスペーサー７６を押さえながらスクリュー部８３が下台４７に食い込んでいくため、中座４８と札受け４９とは下台４７とスペーサー７６で挟まれるようにして固定される。鉄木ネジ７７が貫通穴８６に挿通されると、円錐形となった傾斜面８２の下面はすり鉢状のテーパー面８７と密着して強固に固定される。こうして、鉄木ネジ７７によって下台４７、中座４８、札受け４９が組み立てられた状態では、図１５で示すようにスペーサー７６全体は札受け４９の上面から突出したように立ち上がった位置で保持される。同時に、鉄木ネジ７７の上面はスペーサー７６のよって、その長さだけ札受け４９の上面より高い位置に保持されることになる。
【００５１】
次に、札板４３の底面には二つのダボ穴６７が穿ってあり、その間隔は締付け穴５４、通し穴５３、ネジ穴５２の間隔と同一に設定してある。このダボ穴６７の内部には円柱形をした札板磁石７２を嵌め込んであり、札板磁石７２はダボ穴６７の穴奥の位置に固定してある。札板磁石７２の長さはダボ穴６７の深さよりも短くしてあり、ダボ穴６７の下半分は空間となっている。このダボ穴６７の下半分の空間の深さはスペーサー７６の長さとほぼ同一に設定してある。また、ダボ穴６７の内径はスペーサー７６の外径よりも少し大きくなるように設定してあり、スペーサー７６をダボ穴６７に何の抵抗もなく挿入することができる。
【００５２】
図１５は台座４２と札板４３の断面を示すものであり、この図では、台座４２と札板４３は組み立てられていない状態である。この状態のまま札板４３を台座４２の方向に下げ、スペーサー７６及び頭部８１をダボ穴６７に挿入した状態が図１６で示される。スペーサー７６の外径はダボ穴６７の内径より小さいため、何の抵抗もなくスムースに挿入され、札板４３の底面が札受け４９の上面と密着した時に頭部８１の上端と札板磁石７２の下端とが密着する。札板磁石７２は磁石であり、頭部８１の素材は鉄であるため、頭部８１は札板磁石７２の磁力で吸着さる。頭部８１が札板磁石７２に吸引されることにより、札板４３は台座４２に連結固定される。このようにして、頭部８１と札板磁石７２が磁気で吸着することで、一体となった位牌４１が組み上げられる。なお、後年になって位牌４１を補修したり、札板４３の表面に戒名や没年などを追加して書き込むような場合には、台座４２より札板４３を磁力の吸引力に逆らって引き離すことで両者は容易に分解できる。
【符号の説明】
【００５３】
１１  位牌
１２  台座
１３  札板
１７  下台
１８  中座
１９  札受け
２１  止め穴
２２  通し穴
２３  通し穴
２５  ダボ
２８  ダボ穴
４１  位牌
４２  台座
４３  札板
４７  下台
４８  中座
４９  札受け
５２  ネジ穴
５３  通し穴
５４  締付け穴
５７  径小穴
５８  座板面
５９  径大穴
６１  木ネジ
６２  頭部
６３  スクリュー部
６５  ダボ
６７  ダボ穴
７１  下台磁石
７２  札板磁石
７５  通し穴
７６  スペーサー
７７  鉄木ネジ
８１  頭部
８２  傾斜面
８３  スクリュー部
８６  貫通穴
８７  テーパー面
【図１】
0003171640.tif 000003
【図２】
0003171640.tif 000004
【図３】
0003171640.tif 000005
【図４】
0003171640.tif 000006
【図５】
0003171640.tif 000007
【図６】
0003171640.tif 000008
【図７】
0003171640.tif 000009
【図８】
0003171640.tif 000010
【図９】
0003171640.tif 000011
【図１０】
0003171640.tif 000012
【図１１】
0003171640.tif 000013
【図１２】
0003171640.tif 000014
【図１３】
0003171640.tif 000015
【図１４】
0003171640.tif 000016
【図１５】
0003171640.tif 000017
【図１６】
0003171640.tif 000018